(57)【要約】      （修正有）【課題】互いに隣接する床材間の高さのより大きな差異も架橋できる継ぎ目架橋装置を提供する。【解決手段】床側面整列装置は、ベース形状部１と、少なくとも１つの横方向に突出したカバー翼１２、１３が備えられたカバー形状部３と、ベース形状部１とカバー形状部３との間の接続部としての役割を果たすウェブ部材２と、継ぎ目装置７、８とを含んでいる。継ぎ目装置は、ベース形状部１、または、カバー形状部３に設けられた受け口７と、回動可能なウェブ部材２の下端、または、上端に形成される継ぎ目部材８とから成る。【選択図】図１ａ
2011021474.tif 000002
【特許請求の範囲】
【請求項１】
特に隣接する２つの床材間の架橋用の床側面整列装置であって、
ベース形状部（１）と、
少なくとも１つの横に突出したカバー翼（１２、１３）を有するカバー形状部（３）と、
ベース形状部（１）とカバー形状部（３）との間の結合部としてのウェブ部材（２）と、
関節装置（７、８）とを備えており、
関節装置（７、８）は、ベース形状部（１）またはカバー形状部（３）上に配置された関節腔（７）と回動するウェブ部材（２）の下端または上端に形成された関節要素（８）とを含んでおり、
カバー形状部（３）の２つの下方に延びるウェブ（１４、１５）のうち少なくとも１つが互いに隔てられた伸張部（２４）を有し、それに対してベース形状部（１）に形成された収納部（２５）が配置されている床側面整列装置。
【請求項２】
特に隣接する床材間の架橋用の床側面整列装置であって、
ベース形状部（１）と、
少なくとも１つの横に突出したカバー翼（１２、１３）を有するカバー形状部（３）と、
ベース形状部（１）とカバー形状部（３）との間の結合部としてのウェブ部材（２）と、
関節装置（７、８）とを備えており、
前記関節装置は、ベース形状部（１）またはカバー形状部（３）上に配置された関節腔（７）と、回動するウェブ部材（２）の下端または上端に形成された関節要素（８）とから成り、
一方では互いに割り当てられたウェブ部材（２）の少なくとも１つの側壁上に、他方ではカバー形状部（３）のウェブ（１４、１５）上に、傾斜突起部（１９）が形成されている床側面整列装置。
【請求項３】
請求項１または２に記載の床側面整列装置であって、
関節要素（８）が少なくとも部分的に円筒型で、関節腔（７）は少なくとも部分的に中空円筒型であることを特徴とする床側面整列装置。
【請求項４】
請求項１または２に記載の床側面整列装置であって、
関節要素（８）が少なくとも部分的に球型で、関節腔（７）は少なくとも部分的に中空球型あるいは部分的に中空円筒型であることを特徴とする床側面整列装置。
【請求項５】
請求項１から４のいずれか１項に記載の床側面整列装置であって、
ベース形状部（１）は、間に関節腔（７）が形成されている上方に延びる２つの側部（５、６）を備えていることを特徴とする床側面整列装置。
【請求項６】
請求項１から５のいずれか１項に記載の床側面整列装置であって、
関節要素（８）上に少なくとも１つのベース面（１７、１７’）が形成され、関節腔（７）上に少なくとも１つの反対面（１８、１８’）が形成されていることを特徴とする床側面整列装置。
【請求項７】
請求項６に記載の床側面整列装置であって、関節腔（７）の中にベース面（１７、１７’）が急勾配の屋根のように形成され、対応して関節要素（８）上に反対面（１８、１８’）が形成されていることを特徴とする床側面整列装置。
【請求項８】
請求項１から７のいずれか１項に記載の床側面整列装置であって、
ストップ面（２１、２１’）が側部（５、６）のそれぞれの側に形成され、反対面（２２、２２’）がウェブ部材（２）上に形成されていることを特徴とする床側面整列装置。
【請求項９】
請求項１から７のいずれか１項に記載の床側面整列装置であって、
ストップ面（２１、２１’）がそれぞれ側部（５、６）の長手方向のふちに形成され、反対面（２２、２２’）がウェブ部材（２）の割り当てられた外側の面に形成されていることを特徴とする床側面整列装置。
【請求項１０】
請求項１から９のいずれか１項に記載の床側面整列装置であって、
ウェブ部材（２）が間に溝（１１）を形成している平行する２つのウェブ（９、１０）を有し、カバー形状部（３）もまた外側からウェブ（９、１９）を包み込む２つのウェブ（１４、１５）を有していることを特徴とする床側面整列装置。
【請求項１１】
請求項１から１０のいずれか１項に記載の床側面整列装置であって、
ウェブ部材（２）が間に溝（１１）を形成している平行する２つのウェブ（９、１０）を有し、カバー形状部（３）は上記溝（１１）の中に挿入されるウェブ（２６）を有していることを特徴とする床側面整列装置。
【請求項１２】
請求項１から１０のいずれか１項に記載の床側面整列装置であって、
ウェブ部材（２）はウェブ（２６）を有し、カバー形状部（３）は互いに離れて外側からウェブ（２６）を包み込む２つの平行なウェブ（１４、１５）を有していることを特徴とする床側面整列装置。
【請求項１３】
請求項９または１２のいずれかに記載の床側面整列装置であって、
ネジ用のネジ込み溝（１１）として、少なくとも部分的において、ウェブ部材（２）の２つの側部（９、１０）の間に溝が形成され、ネジが貫通する少なくとも１つの孔がカバー形状部（３）に設けられていることを特徴とする床側面整列装置。
【請求項１４】
請求項９または１２のいずれかに記載の床側面整列装置であって、
カバー形状部（３）は複数の孔が備えられ、それらを用いることによってネジを用いてネジ込み溝（１１）にカバー形状部（３）がねじ込まれることを特徴とする床側面整列装置。
【請求項１５】
請求項１１に記載の床側面整列装置であって、
カバー形状部（３）のウェブ（１４、１５）と中心形状部（２）の側部（９、１０）とが密接に組み合わさっていることを特徴とする床側面整列装置。
【請求項１６】
請求項１０または１１のいずれかに記載の床側面整列装置であって、
カバー形状部（３）のウェブ（１４、１５）とウェブ部材（２）のウェブ（９、１０、２６）は相互のスナップ式の締結のためのスナップオン手段を有することを特徴とする床側面整列装置。
【請求項１７】
請求項８から１２のいずれか１項に記載の床側面整列装置であって、
中心形状部（２）の側部（９、１０）の上方にあるカバー形状部（３）の下側に、長手方向に延びる溝型のくぼみ（１６）、または、少なくとも１つの開口／収納部が形成されていることを特徴とする床側面整列装置。
【請求項１８】
前記請求項１１から１４のいずれか１項に記載の床側面整列装置であって、
ベース形状部（１）における関節腔（７）の隙間Ｄはウェブ部材（２）の２つのウェブ（９、１０）間の内側の距離よりも大きいことを特徴とする床側面整列装置。
【請求項１９】
前記請求項のいずれか１項に記載の床側面整列装置であって、
ベース形状部（１）は略Ｌ字型であり、略水平側部（４）と
略垂直側部（５、６）とを有することを特徴とする床側面整列装置。
【請求項２０】
前記請求項のいずれかに１項に記載の床側面整列装置であって、
ウェブ部材（２）上とベース形状部（１）上に、関節装置（７、８）の領域において、収納部（２５’、２５）が部分的に形成され、その寸法は、上方の関節要素（８、７）のＬＧ部分が下方の関節要素（７、８）の２つの部分の間の収納部（２５）に挿入されるように選ばれることを特徴とする床側面整列装置。
【請求項２１】
請求項１６に記載の床側面整列装置であって、
ベース形状部（１）の水平側部（４）の厚さにほぼ対応する長さの差が、カバー形状部（３）の２つのウェブ（１４、１５）の間に与えられていることを特徴とする床側面整列装置。
【請求項２２】
前記請求項のいずれか１項に記載の床側面整列装置であって、
ベース形状部に対するカバー形状部（３）の側方への回動範囲が、３６０度の完全な円に関して±２０度であることを特徴とする床側面整列装置。
【請求項２３】
前記請求項のいずれか１項に記載の床側面整列装置であって、
継ぎ目架橋形状部、ステアエッジ形状部、または、コーナーエッジ形状部の形態における設計を特徴とする床側面整列装置。
【請求項２４】
請求項１から１９のいずれか１項に記載の床側面整列装置であって、
関節腔（７）と関節要素（８）との間の結合が解除可能であることを特徴とする床側面整列装置。
【請求項２５】
請求項１から２４のいずれか１項に記載の床側面整列装置であって、
ベース形状部（１）上に関節腔の代わりに、２つの関節溝（２９、３０）が、異なる高さレベルで形成されていることを特徴とする床側面整列装置。
【請求項２６】
請求項２５に記載の床側面整列装置であって、
２つの関節溝（２９、３０）の間に所望の破損継ぎ目（breakage seam）が形成されていることを特徴とする床側面整列装置。
【請求項２７】
請求項２５または２６に記載の床側面整列装置であって、
上側の関節溝はベース（２８）上に配置されていることを特徴とする床側面整列装置。
【発明の詳細な説明】
【技術分野】
【０００１】
本発明は、床側面整列装置に関するものであり、請求項１および２によれば、特に２つの隣接する床材同士の継ぎ目を架橋する床側面整列装置に関する。
【背景技術】
【０００２】
床用の継ぎ目架橋装置が、ＤＥ１９９５１５１６Ａ１に開示されており、例えば、継ぎ目のどちらか一方の側の高さが異なる寄木張りの床において、継ぎ目を架橋することを可能にする。この公知の継ぎ目架橋装置は、ほぼＬ字型のベース形状部（profile）から成り、床にネジ留めされ、２つの側部が継ぎ目内を上方に延びている。横に突出した２つのカバー翼を有するカバー形状部が継ぎ目を覆うように配置されて架橋され、取り付けられた状態においてカバー翼は隣接する床材を覆うように位置し、異なる高さの床材に弾力的に適合可能である。公知の継ぎ目架橋装置によれば、カバー形状部とベース形状部との間にウェブ部材（web arrangement）が備えられ、上記ウェブ部材はカバー形状部をベース形状部に対して横向きにガイドする。このため、ウェブ部材は、その下側に、長手方向に延びてベース形状部の２つの側部を取り囲む２つのウェブを有している。ウェブ部材は、上側にも、カバー形状部の下側に設けられた２つのウェブによって包み込まれる２つのウェブを有しており、ベース形状部に対するカバー形状部の横向きの動きが保証され、それにもかかわらず、ベース形状部に対してカバー形状部の高さを調節することが可能である。ベース形状部へのカバー形状部の装着は、ここでは、ネジまたはスナップ式連結部によって行われている。
【０００３】
この公知の３部から成る継ぎ目架橋装置によれば、両側の異なる高さの床材に適合させる場合、カバー形状部のカバー翼のうち、１つまたは両方を曲げることは不可欠である。隣接する床材間を架橋できる高さの差異は、それゆえ、相対的に制限される。本発明は、序文で述べたタイプの継ぎ目架橋装置を、互いに隣接する床材間の高さのより大きな差異も架橋できるように改良する目的に基づいている。
【発明の開示】
【０００４】
本発明は請求項１の特徴によって実現され、他の実施例においては、請求項２の特徴によって実現される。
【０００５】
本発明は、関節装置を有する床側面整列装置を備えることについての一般的な技術の教示を含んでおり、大きく異なる厚さの差を有する床材間に継ぎ目を架橋する場合、カバー形状部は、カバー形状部のカバー翼を曲げることなく、どんなに特別大きな程度であろうと、薄い床材の側へ傾くことができる。
【０００６】
ここで、上記関節装置は、カバー形状部とウェブ部材間、ウェブ部材とベース形状部間のうち、両方もしくはどちらか一方に、任意に備えられてよい。好ましくは、カバー形状部とウェブ部材間の結合は固定的であり、ウェブ部材とベース形状部間の結合は関節を成すように、規定の回動軸が備えられている。
【０００７】
上記関節装置は、ベース形状部またはカバー形状部上に配置された関節腔と、ウェブ部材上に配置された関節要素とから成ることが好ましい。しかしながら、関節装置がウェブ部材上に配置された関節腔と、カバー形状部またはベース形状部上に配置された関節要素とから成ることも可能である。
【０００８】
上記関節要素は、例えば、部分的に円筒型の形をしており、相応する形状を持ち部分的に中空円筒型の関節腔に係合する。しかしながら、関節要素が部分的に球型であり、部分的に中空球型あるいは部分的に中空円筒型の関節腔に係合することも可能である。唯一の重大なファクターは、形や大きさに関して、回動する関節結合が形成されるように関節要素が関節腔に適合することである。
【０００９】
好ましい実施形態においては、関節腔がベース形状部の２つの側部の間に形成され、これら側部は継ぎ目内を上方に延び上がっている。関節腔と関節要素の間の結合はスナップ固定、解除の両方またはいずれか一方が可能なように設計されてもよく、取り付け中に関節要素が簡単に関節腔の中に押し込まれる、または横に押入れられる。これはベース形状部がそれ自身で取り付けられるという利点を提供し、続いてウェブ部材の装着のみを行えばよいので、それにより取り付けがかなり簡単になる。
【００１０】
少なくとも一つのベース面が関節要素上に形成され、少なくとも一つの反対面が関節腔上に形成されることは有利である。これにより、関節要素が関節腔の中に安定して保持されるため、容易な取り付けが実現される。しかし、一方で、カバー形状部を、異なる高さの継ぎ目の側面エッジに適用した場合、容易に回動可能となる。
【００１１】
ストップ面またはストップエッジが、ベース形状部の上記側部の長手方向のふちに形成され、反対面がウェブ部材の割り当てられた外側の面上に形成されることは有利である。これにより、関節要素が誤って関節腔の外へと回転して外れることを防ぐ。
【００１２】
さらに、本発明の好ましい実施形態においては、ウェブ部材に対するカバー形状部の高さ調整可能な横方向の動きがもたらされている。このため、カバー形状部は、その下側に継ぎ目にまで及び、ウェブ部材の上側に配置され上方へと延びる２つのウェブを横に包み込む２つのウェブを有しており、カバー形状部の２つのウェブの間の内側の距離は、好ましくは、カバー形状部がスライドしてウェブ部材に対して高さ調整できるように、ウェブ部材のウェブ間の外側の距離と同じである。ここで、ウェブ部材へのカバー形状部の装着は、例えば、カバー形状部の２つのウェブの間にある孔を挿通するネジであって、ウェブ部材の２つのウェブの間に形成されたネジ溝に係合するネジを用いて行われる。
【００１３】
この代わりに、カバー形状部のウェブ部材への装着は、ウェブ部材のウェブの外側とカバー形状部のウェブの内側とに配置され、それぞれ互いにふたつ一組で係合するスナップ方式の手段によっても実現できる。
【００１４】
特に、長手方向に延びるくぼみか、少なくとも開口部が、カバー形状部の２つのウェブの間の下側と、取り付けられた状態においてウェブ部材の２つのウェブが下方への高さ調整機能を拡大するように係合できるウェブ部材のウェブの上方側とに設けられる場合、有利になる。
【００１５】
既に上述したとおり、ベース形状部は、好ましくは、継ぎ目内を上方に延び、その間に関節腔が形成される２つの側部を備えている。ここで、特に、カバー形状部の２つのウェブがウェブ部材の２つのウェブを横に包み込んだ場合、有利であり、関節腔の幅とベース形状部の側部の間の外側の距離とが、カバー形状部の２つのウェブの間の内側の距離と同じまたは小さい結果、要求されれば、カバー形状部は可能な限り下方へ押されることができる。
【００１６】
ベース形状部のＬ字型のデザインによれば、カバー形状部の２つの下方へ延びるウェブが異なる長さの場合、有利である。なぜなら、そうでない場合、ベース形状部の水平側部の上方に位置するカバー形状部のウェブは、下方への高さ調整機能を、勝手に早々と制限してしまうからである。カバー形状部の２つのウェブの長さの差は、それゆえ、好ましくは、ベース形状部の水平方向の側部品の厚さと同じである。
【００１７】
ベース形状部に対するカバー形状部の横向きの回転範囲は、好ましくは、３６０°の完全な円に関して±２０°の範囲内である。しかし、より大きい、または、より小さい回転角であってもよい。
【００１８】
さらに、有利な実施形態は２つの関節溝の配置から成り、２つの関節溝は、異なる高さレベルにおいて、互いに隣接して位置し、溝の一つはベース上に形成される。ベース形状部の端に、より高く関節溝を設けることは有益であるが、他の実施形態は、より低い関節溝をベース形状部の外側に形成し、より高い関節溝を、より中心寄りの内側に設けるような備えとしてもよい。
【００１９】
さらに、本発明は継ぎ目架橋形状部について上述した用途に制限されるものではないと言える。実際、本発明はステア（stair）エッジ形状部やコーナーエッジ形状部の骨組みにおいても利用可能である。
【００２０】
本発明の他の有利なさらなる発展は、サブクレームにおいて特徴づけられ、また、本発明に係る実施形態の好ましい例についての図を用いた説明とともに以下により詳細に記載されている。
【発明を実施するための最良の形態】
【００２１】
異なる取り付け状態について図１ａから図１ｃに示される継ぎ目架橋装置は３つの部分に形成され、基本的にベース形状部１、ウェブ部材２、およびカバー形状部３から成る。
【００２２】
ベース形状部１は、基本的にＬ字型にデザインされ、ネジ（図示せず）を用いて床にネジ留めされる水平側部４を有している。さらに、ベース形状部１は、継ぎ目内を上方に延びる２つの側部５、６を有し、それらの間には部分的に中空円筒型の関節腔７が形成される。関節腔７には、ウェブ部材２の下方に形成されて部分的に円筒の関節要素８が係合し、ウェブ部材２がベース形状部１に対して回動可能となっている。
【００２３】
さらに、ウェブ部材２は、その上側に、上方に延びる２つの平行側部９、１０を有しており、その間には、ネジ（図示せず）に対応するネジ込み溝１１が形成され、そして、カバー形状部３をウェブ部材２にネジ留めするためのカバー形状部３の孔（図示せず）を用いることによって実現される。
【００２４】
従来の技術においては、カバー形状部３は、取り付けられた状態において、隣接する床材を覆って隣接する床材との間の高さの差を平らにするために簡単に曲げることができる２つのカバー翼１２、１３を有している。２つのカバー翼１２、１３は、それぞれ、それらの上面に、カバー形状部３上で滑るのを防ぐためのひだを有している。
【００２５】
カバー形状部３の下側には、取り付けられた状態においてウェブ部材２の側部９、１０を両端から包み込む２つのウェブ１４、１５が配置されている。そして、これにより、カバー形状部３がウェブ部材２に対して回転するのを防いでいる。カバー形状部３が有する２つのウェブ１４、１５間の内側の距離は、それゆえ、ウェブ部材の２つの側部９、１０間の外側の距離とほとんど同じであり、カバー形状部３はウェブ部材２に対して高さ調整をしながら横方向に動かすことができる。
【００２６】
カバー形状部３の下側に２つのウェブ１４、１５の間にあって、ウェブ部材２の側部９、１０の上方には、部材の下方への高さ調整機能を拡張するネジ溝形状のくぼみ１６が配置されている。
【００２７】
さらに、カバー形状部３の２つのウェブ１４、１５は長さが異なる。それゆえ、カバー形状部３のウェブ１４は、ウェブ１４がベース形状部１の水平側部４に早々と置かれるのを防ぐため、ベース形状部１の水平側面部４の厚さの分だけ短くなっている。
【００２８】
好ましい実施形態においては、ベース形状部１の２つの側部５、６間の外側の距離はウェブ部材の２つの側部９、１０間の外側の距離とほとんど同じであり、回動性能を無視する場合、カバー形状部３のウェブ１４がベース形状部１の水平側部４上に位置する程度まで、カバー形状部３は押し下げられ、カバー形状部３のウェブ１５は直接、床上に位置する。
【００２９】
図２ａから図２ｃに示される継ぎ目架橋装置は上述した図１ａから図１ｃに図示された継ぎ目架橋装置と大部分で一致しており、以下では、同じ参照番号が用いられ、大部分で上記記載が参照される。
【００３０】
図２ａから図２ｃにおいて図示される継ぎ目架橋装置の特別な特徴は、基本的に、すでに下方へと傾いているカバー形状部３のカバー翼１３から成る。それゆえ、この継ぎ目架橋装置は、特に、右側において、より薄い床材が用いられる架橋継ぎ目に適している。
【００３１】
図３ａから図３ｃに図示されるコーナーエッジ形状部装置は、大部分において、図１ａから図１ｃに図示した上述の継ぎ目架橋装置に一致しており、以下では、同じ参照番号が用いられ、前記記載が参照される。
【００３２】
図３ａから図３ｃに図示されるコーナーエッジ形状部装置の特別な特徴は、基本的に、片側にカバー翼１２のみを有するカバー形状部３から成るが、カバー形状部３の反対側には、ウェブ１５が、例えば部屋内部の垂直な壁に対して位置することができる制限面を形成している。
【００３３】
図４ａと図４ｂに、本発明のさらなる実施形態が図示されている。この実施形態によれば、詳細Ｉの拡大図に示されているように、少なくとも１つのベース面１８、１８’が関節要素８上に形成されている。対応する反対面１７、１７’が関節腔７に形成されている。このデザインによれば、フィットした状態では、ウェブ部材２は安定した位置が与えられる。反対に、ウェブ部材２が、固定点２０を回転軸または関節点として傾くことはもちろん可能である。このため、関節腔を形成している溝と関節要素とは対応する形状をしている。実施形態の例において示されているように、ベース面１７、１７’は基本的に屋根の形状をしている。屋根の棟は、実質的に円形の関節要素８の中心に実質的に位置する。しかしながら、ベース面１７、１７’と対応する反対面１８とを水平面として設計することも可能である。ベースおよび反対両面を、上記中心を通る水平面以外の水平面に設定することは、その分野の専門家の裁量である。
【００３４】
一つの改良においては、関節要素の角度に対して関節腔８の屋根の角度は小さくてもよい。これによっては安定性は得られないが、ウェブ部材の良好な回動性能を得る。
【００３５】
図示された実施形態によれば、ウェブ部材の下方の外周表面は、実質的には水平面の形状である。傾動の範囲は、ベース形状部またはウェブ部材のそれぞれの表面のストップ面２１と２２によって制限され、ストップ面は少なくとも部分的には下方の水平な上記外周表面によって形成されている。
【００３６】
図４ａでは、自由な側部９、１０の上方の領域において、傾斜突起１９がウェブ部材２上に形成されている。図４ｂは、概略的に、カバー形状部３がウェブ部材２上に正常に置かれた場合、傾斜突起１９に起因して、配置されている部品である側部９と１４の互いに向かい合う壁の間に形成する隙間Ｓを図示している。この傾斜突起１９は、特定の角度でカバー形状部３が内側へ傾動することを可能にする。傾動は、隙間Ｓを通り抜けてカバー形状部３の側部１４がウェブ部材２の下方の領域にぶつかるまで発生する。同時に、図面の左上に位置するウェブ部材２のエッジ１９’がウェブ１５の内側の壁１５’にぶつかる（詳細II参照）。これにより、２つの部品は傾いてネジ留めによりこの位置を保つ。
【００３７】
図５から図７において、ベース形状部１とウェブ部材２の断面図が示されている。ウェブ部材２とベース形状部３の間にはストップが形成されており、その効果はウェブ部材の傾動を制限することである。ストップはストップ面２２、２２’、ウェブ部材、およびベース形状部の側部５、６の自由端上に配置されるストップ面２１、２１’によって形成される（図６）。関節要素の中心点と関連して、ストップ面の角度位置がこのようにして回動の程度を決定する。
【００３８】
図７ａから図７ｃは、ウェブ部材２の右側（図７ａ）と左側（図７ｃ）の極端な位置として選ばれ得る角度位置を概略的に示している。図７ｂは通常の直立した状態の位置にあるウェブ部材２を示している。関節腔と関節要素の寸法は軽いクランプ留めがなされるように設計され、ウェブ部材２は位置の組合せに関係してあらかじめ定まる慣性を有する。このようにすることで、カバー形状部３は、ネジが挿入される前にウェブ部材２が外れることを心配することなく、簡単に取り付けられる。
【００３９】
図８ａから図８ｃには、本発明に係る床側面整列装置の実施形態の次の例が図示されている。この実施形態によれば、伸張部２４がカバー形状部のウェブ１４、１５上に形成され、好ましくはウェブ１４、１５のどちらか１つまたは両方の下方の端に沿って規定の長さに形成される。
【００４０】
ベース形状部４の対応する部分に、伸張部２４を差し込むことができる収納部２５が備えられている。図８ａは、カバー形状部３がウェブ部材２の上に置かれた組み立て状態を示している。ここでウェブ部材２は、ほぼ垂直に上方へと延びている。
【００４１】
図８ｂは、装着状態のカバー形状部を示しており、最も深い位置に斜めに置かれている。伸張部２４は、ここで、収納部２５に差し込まれている。傾いた状態であっても、収納部２５は伸張部を収容するのに十分に広いことがわかる。
【００４２】
図８ｃは、反対側に傾いた位置における床側面を示している。右側のウェブは、この図面においては伸張部２４とともに備えられているが、ウェブ部材２のストップ面２１がベース形状部の側部６上の反対面２２に対してぶつかるまで、カバー形状部がさらに右側に傾いた場合であっても対応する収納部２５に差し込めることがわかる。
【００４３】
図９は、シングルウェブ２６がカバー形状部３上に配置される実施形態の次の例を示している。シングルウェブ２６はネジ孔の領域において非連続であり、ネジ溝２７が形成されている。ネジ溝２７は、余裕をもってネジが回し入れられるような比率である。シングルウェブ２６はネジ込み溝１１の中に滑り込ませて挿入できる。
【００４４】
図１０は、図９に係る実施形態のさらなる発展を示している。この実施形態によれば、伸張部２４はシングルウェブ２６の下方の端に形成されている。これらの伸張部２４は、挿入高さをより大きくできる。すなわち、ベース形状部１とカバー形状部３の間の最大距離を大きくできる。伸張部２４は、シングルウェブ２６に沿って予め定められた一定の間隔で形成され、ここで場合によっては、好ましい実施形態はネジ溝２７を下方において架橋する伸張部２４からなる。このようにして、カバー形状部３の特別高い安定性が得られる。
【００４５】
下方の端に、ウェブ部材は、伸張部２４がウェブ部材２を通りウェブ部材２の外へ出ることを可能とする収納部２５’を底部に有する。ベース形状部１はウェブ部材２の下に収納部２５とともに備えられ、これらの収納部２５の幅は突起部２４を収納するのに十分である。ベース形状部１における収納部２５の長さは、あらかじめ定められた長さＬＢに及ぶ。長さＬＢは、突起部２４の長手方向の長さＬＶとウェブ部材２上にある関節要素８の長手方向の拡張部分ＬＧの範囲によって構成される。長さＬＢは、それゆえ、カバー形状部３に沿ったシングルウェブ２６上の突起部２４の距離に対しての長さでもある。このタイプの装置を用いて、溝１１の中に突起部２４を有するウェブ２６を挿入し、突起部４と突起部２４の隣に位置する関節要素部分とが収納部２５の中にうまく納まるようにこのあらかじめ組み立てられたユニットをベース形状部１上に設置することが可能である。カバー形状部はこのとき右へ押され、関節要素８が横から関節腔７の中へ差し込まれる。突起部２４の深さは、突起部２４の下方の端２４’がベース形状部１の収納部２５の下方の端２５’と同一平面になるまで収納部２５を貫通するように選ばれる。このとき横方向の動きは、突起部２４が関節腔７の下の面端７’に対してぶつかるため、長さＬＧに制限される。
【００４６】
図１０ａは、個々の要素が組み合わせられる位置にある分解組立図におけるベース形状部１、ウェブ部材２、およびカバー形状部３の構成要素を示しており、挿入後に、矢印Ａの方向へ押しこまれる。図１０ｂは組み立てられた形状部の断面の概略図である。ウェブ２６はベース形状部の下方の端に対してぴったりくっついて位置していることがわかる。この実施形態によれば、ウェブ２６の厚さと関節腔７の上部の挿入点の隙間が互いに予め定められた関係を有している必要は無い。しかしながら、図１１に図示されている実施形態の例は、図１０に図示されている実施形態の改良であり、ウェブ２６が伸張部２４とともに上端が開いている関節腔７に挿入され、要求に応じて左または右に押し込めるように設計されている。ウェブ部材２の収納部２５’、すなわち関節要素８が除去されて突起部２４の自由な通過が可能となる部分、だけが長さＬＶを有している。同様に、ウェブ部材は、関節要素８が形成される長さＬＧの部分が備えられている。ベース形状部には、ウェブ部材２のＬＧ部分が挿入される関節腔領域７に切欠または収納部２５が形成される。ウェブ２６の厚さ、そして突起部２４の厚さもまた、関節腔７の開口部Ｄの隙間より小さいため、突起部２４は関節腔の中に入る。もし、ウェブ部材が上述したように位置していれれば、要求に応じて、左または右に押される。
【００４７】
図１２には、中心部が下方の端に関節要素８が形成されているシングルウェブ２６’から成る床側面整列装置の次の実施形態が図示されている。ウェブ２６’は取り付けネジ（図示せず）をねじ込むネジ孔またはネジ込み溝１１’を規定の距離離れて有している。カバー形状部３の構造は基本的に図１の実施形態の例に係るカバー形状部に一致する。しかし、ウェブ１４とウェブ１５の間の距離は単一のウェブ２６の厚さに適合している。ネジ孔またはネジ込み溝１１’は予め定められた量までウェブの中に延びている。
【００４８】
この実施形態によれば、伸張部２４は側部１４と１５上に形成されてもよい。これらは対応する収納部２５の中へと延び、関節腔の部分は除去されている。
【００４９】
中心部２の挿入を容易にするために、収納部２５’によって予め定められた範囲においてウェブ２６の下の関節要素８が除去され、関節要素部分８’が残る。収納部２５によれば、これらの関節要素部分８’はベース形状部上に置かれ、関節腔部分７’へと横方向に押し込まれる。この実施形態によれば、ベース形状部１の中へのウェブ部材２の挿入の後、カバー形状部は伸張部２４が備わっている場合ウェブ部材２と共に横方向へ押し込めない。容易な取り付けを可能にするため、突起部２４に対して予め定められた寸法の関係にあるシングルウェブに複数の孔または溝１１’が備わるように準備がなされる。
【００５０】
図１３は、床側面整列装置の特に簡単な実施形態を示している。ここでは、ウェブ１４と１５とが省かれている。ネジ１１”だけがウェブ部材２の溝１１の中にねじ込まれている。所望の安定性を得るために、床側面整列装置のこの実施形態によれば、前述した実施形態の例について必要としたよりも多くの数のネジが単位長さあたりに用いられる。
【００５１】
図１４ａから図１４ｃにおいては、本発明に係る床側面整列装置の実施形態の次の例が図示されている。この実施形態によれば、ベース形状部は互いに隣接し異なる高さの面に配置されている２つの関節腔溝２９と３０を有している。図１４ａにおいて、ウェブ部材２は、ベース２８上に形成されている上側の関節腔溝３０に設置される。材料の節約に関する理由により、ベース２８は領域２８’において材料の節約がもたらされる橋型に形成されてもよい。図１４ｂはウェブ部材２が下側の関節腔溝２９に設置されている装置を示している。この実施形態においてもベース形状部１に形成されている収納部２５に相応して挿入できる伸張部２４がウェブ１４と１５に形成できることは自明である。この実施形態の例についてベース形状部とウェブ部材が簡単な配置と横への押し込みによって組み立てられるように設計できることもまた自明である。この実施形態の例についてもまた、カバー形状部３とウェブ部材２との間の傾き角を可能にする傾斜突起１９が備えられてもよい。
【００５２】
本発明は上記で開示した好ましい実施形態の例に制限されない。実際には、たくさんの変形、改良、および異なる実施形態において記載された個々の詳細の組合せが考えられ、それらは本発明の裏側にある思想も利用しており、保護範囲に含まれる。
【図面の簡単な説明】
【００５３】
【図１ａ】３部からなる回動継ぎ目架橋形状部である。
【図１ｂ】３部からなる回動継ぎ目架橋形状部である。
【図１ｃ】３部からなる回動継ぎ目架橋形状部である。
【図２ａ】３部からなる回動継ぎ目架橋形状部の他の実施形態の例である。
【図２ｂ】３部からなる回動継ぎ目架橋形状部の他の実施形態の例である。
【図２ｃ】３部からなる回動継ぎ目架橋形状部の他の実施形態の例である。
【図３ａ】３部からなる回動コーナーエッジ形状部である。
【図３ｂ】３部からなる回動コーナーエッジ形状部である。
【図３ｃ】３部からなる回動コーナーエッジ形状部である。
【図４ａ】ベース形状部−ウェブ部材の組合せの次の実施形態の変形例である。
【図４ｂ】ベース形状部−ウェブ部材の組合せの次の実施形態の変形例である。
【図５】ウェブ部材の実施形態の側断面図である。
【図６】関節腔を備えたベース形状部の断面図である。
【図７ａ】異なる回動位置における図５および図６の要素の組み立て断面図である。
【図７ｂ】異なる回動位置における図５および図６の要素の組み立て断面図である。
【図７ｃ】異なる回動位置における図５および図６の要素の組み立て断面図である。
【図８ａ】カバー形状部の拡張されたウェブとベース形状部の収納部を備えた図１ａから図１ｃの実施形態に係る３部から成る継ぎ目架橋形状部である。
【図８ｂ】カバー形状部の拡張されたウェブとベース形状部の収納部を備えた図１ａから図１ｃの実施形態に係る３部から成る継ぎ目架橋形状部である。
【図８ｃ】カバー形状部の拡張されたウェブとベース形状部の収納部を備えた図１ａから図１ｃの実施形態に係る３部から成る継ぎ目架橋形状部である。
【図９】カバー形状部上にシングルウェブを備えた次の実施形態の例である。
【図１０ａ】ウェブ部材上に形成された短い伸張部を備えたシングルウェブによるさらなる実施形態の例である。
【図１０ｂ】ウェブ部材上に形成された短い伸張部を備えたシングルウェブによるさらなる実施形態の例である。
【図１１ａ】ウェブ部材上に形成された拡大された伸張部を備えたシングルウェブによるシングルウェブによるさらなる実施形態の例である。
【図１１ｂ】ウェブ部材上に形成された拡大された伸張部を備えたシングルウェブによるシングルウェブによるさらなる実施形態の例である。
【図１２ａ】ウェブ部材上のシングルウェブとウェブ部材上に形成されたシングルウェブによるさらなる実施形態の例である。
【図１２ｂ】ウェブ部材上のシングルウェブとウェブ部材上に形成されたシングルウェブによるさらなる実施形態の例である。
【図１３】ウェブのないカバー形状部によるさらなる実施形態の例である。
【図１４ａ】一つ以上の関節面による次の実施形態の例である。
【図１４ｂ】一つ以上の関節面による次の実施形態の例である。
【図１４ｃ】一つ以上の関節面による次の実施形態の例である。
【図１ａ】
2011021474.tif 000003
【図１ｂ】
2011021474.tif 000004
【図１ｃ】
2011021474.tif 000005
【図２ａ】
2011021474.tif 000006
【図２ｂ】
2011021474.tif 000007
【図２ｃ】
2011021474.tif 000008
【図３ａ】
2011021474.tif 000009
【図３ｂ】
2011021474.tif 000010
【図３ｃ】
2011021474.tif 000011
【図４ａ】
2011021474.tif 000012
【図４ｂ】
2011021474.tif 000013
【図５】
2011021474.tif 000014
【図６】
2011021474.tif 000015
【図７ａ】
2011021474.tif 000016
【図７ｂ】
2011021474.tif 000017
【図７ｃ】
2011021474.tif 000018
【図８ａ】
2011021474.tif 000019
【図８ｂ】
2011021474.tif 000020
【図８ｃ】
2011021474.tif 000021
【図９】
2011021474.tif 000022
【図１０ａ】
2011021474.tif 000023
【図１０ｂ】
2011021474.tif 000024
【図１１ａ】
2011021474.tif 000025
【図１１ｂ】
2011021474.tif 000026
【図１２ａ】
2011021474.tif 000027
【図１２ｂ】
2011021474.tif 000028
【図１３】
2011021474.tif 000029
【図１４ａ】
2011021474.tif 000030
【図１４ｂ】
2011021474.tif 000031
【図１４ｃ】
2011021474.tif 000032